(57)【要約】  【課題】  Ｄクラスオーディオ増幅器の非同期性ＢＴＬ設計を提供する。  【解決手段】  本発明のＤクラスオーディオ増幅器の非同期性ＢＴＬ設計は、二つの独立した信号ルートを採取し、それぞれ、ＰＷＭ変調器、プレドライバ、及び、パワーＭＯＳ回路、からなる。二つの独立した信号ルートは、それぞれ、ＰＷＭ変調器により、入力信号を受信し、その後、出力信号は、パワーＭＯＳ回路を経て、共同で、スピーカーを駆動する。二つのＰＷＭ変調器に入力される同期化信号はなく、且つ、二つのパワーＭＯＳ回路は、フィルター前、及び／又は、フィルター後の信号を、それぞれ、二つのＰＷＭ変調器に、フィードバックし、互いに影響しない。本発明は、公知技術の同期化設計を省略すると共に、ＢＴＬが必要な二つのプッシュプル式信号を、それぞれ、処理し、二つの信号を互いに影響させず、しかし、最後に、共同で、スピーカーを駆動する。【選択図】図３
2007049614.tif 000002
【特許請求の範囲】
【請求項１】
Ｄクラスオーディオ増幅器の非同期性ＢＴＬ設計であって、前記Ｄクラスオーディオ増幅器は、二つの独立した信号経路を有し、それぞれ、ＰＷＭ変調器、プレドライバ、及び、パワーＭＯＳ回路、からなり、前記二つの独立した信号経路は、前記ＰＷＭにより入力信号を受信し、その後、出力信号は前記パワーＭＯＳ回路を経て、共同でスピーカーを起動し、前記二つのＰＷＭ変調器は、同期化信号の入力がなく、且つ、前記二つのパワーＭＯＳ回路は、それぞれ、出力信号を、前記二つのＰＷＭ変調器にフィードバックし、互いに影響しないことを特徴とするＤクラスオーディオ増幅器の非同期性ＢＴＬ設計。
【請求項２】
前記二つのパワーＭＯＳ回路後面に、それぞれ、フィルター回路を連接し、二つのフィルター回路の出力信号は、共同で、前記スピーカーを起動し、前記スピーカー両入力端の信号は、それぞれ、前記ＰＷＭ変調器にフィードバックすることを特徴とする請求項１に記載のＤクラスオーディオ増幅器の非同期性ＢＴＬ設計。
【請求項３】
前記パワーＭＯＳ回路は、パワーＣＭＯＳ回路であることを特徴とする請求項１、或いは、２に記載のＤクラスオーディオ増幅器の非同期性ＢＴＬ設計。
【発明の詳細な説明】
【技術分野】
【０００１】
本発明は、Ｄクラスオーディオ増幅器の改良設計に関するものであって、特に、非同期性（ａｓｙｎｃｈｒｏｎｏｕｓ）ブリッジ接続負荷（Ｂｒｉｄｇｅ  Ｔｉｅｄ  Ｌｏａｄ、ＢＴＬ）設計を採用したＤクラスオーディオ増幅器に関するものである。
【背景技術】
【０００２】
図１（ａ）および（ｂ）は、一般のプッシュプル型（ｐｕｓｈ−ｐｕｌｌ）Ｄクラスオーディオ増幅器の出力キャリア信号ＯＵＴＡとＯＵＴＢを示す。この種のプッシュプ型Ｄクラスオーディオ増幅器の出力キャリア信号ＯＵＴＡとＯＵＴＢのキャリア位相は、図１（ａ）で示されるように、一致するか、或いは、図１（ｂ）で示されるように、１８０度の一定の位相シフトである。使用時に、出力信号のキャリアは、フィルター、或いは、耳によりフィルターされ、よって、出力キャリア信号の同期設計は不要である。
【０００３】
図２は、Ｄクラスオーディオ増幅器の回路図である。オーディオ信号は、左側両入力端ａ、ｂから、演算増幅器１に入力され、演算増幅器１は、二つのオーディオ信号を、それぞれ、演算増幅器２、演算増幅器３（共に、比較器）に出力し、その後、プレドライバ（ｐｒｅｄｒｉｖｅｒ）４、及び、５を経過して、ＣＭＯＳ回路６、及び、７を推進して、出力信号ＯＵＴＡ、ＯＵＴＢを生成する。出力信号ＯＵＴＡ、ＯＵＴＢは、共同で、スピーカー８を駆動し、これが、プッシュプル回路で、即ち、ＢＴＬ（Ｂｒｉｄｇｅ  Ｔｉｅｄ  Ｌｏａｄ）設計である。レジスタ９、１０は、フィードバック信号用で、コンデンサ１１、１２は補償回路で、インダクタ１３、１４とコンデンサ１５、１６は、フィルター回路である。５００ＫＨｚの三角波Ｖｔｒｉａｂｇｕｌａｒが、演算増幅器２、３に入力され、演算増幅器２、３に入力される二つのキャリア信号を同期化する。これにより、出力信号ＯＵＴＡ、ＯＵＴＢのキャリア位相は、図１（ａ）で示されるように、一致する。或いは、出力信号ＯＵＴＡ、ＯＵＴＢのキャリア位相は、図１（ｂ）で示されるように、１８０度の位相シフトである。演算増幅器１、２、３は、合わせて、Ｄクラスオーディオ増幅器のパルス幅変調器（ｐｕｌｓｅ−ｗｉｄｔｈ  ｍｏｄｕｌａｔｉｏｎ、ＰＷＭ）を形成する。ＰＷＭ変調器は各種設計を有し、ここで示されるのは、そのうちの一種だけである。
【０００４】
上述の回路の三角波Ｖｔｒｉａｂｇｕｌａｒを生成するのに、別途に、三角波生成器を設計しなければならないが、三角波生成器は複雑で、また、精確な三角波を生成するのは困難である。三角波生成器をＩＣ設計中に置入すると、回路空間を占有してしまい、コストが増加する。出力信号ＯＵＴＡ、ＯＵＴＢの二つのキャリア信号を同期化する三角波Ｖｔｒｉａｂｇｕｌａｒは、実際は不要である。
【０００５】
出力信号ＯＵＴＡ、ＯＵＴＢは、それぞれ、レジスト９、１０を経て、信号を、演算増幅器１にフィードバックする時、充分に精確でなければならず、さもなければ、演算増幅器１は、二つの出力オーディオ信号の均衡を保つことが出来ない。この要求は、ＩＣレイアウトの許容範囲が狭く、製造コストを増加させる。
【発明の開示】
【発明が解決しようとする課題】
【０００６】
解決しようとする課題は、Ｄクラスオーディオ増幅器の非同期性ＢＴＬ設計を提供することにある。
【課題を解決するための手段】
【０００７】
本発明は、図３で示されるように、二つの独立した信号ルートを採取し、それぞれ、ＰＷＭ変調器、プレドライバ、及び、パワーＭＯＳ回路、からなる。二つの独立した信号ルートは、それぞれ、ＰＷＭ変調器により、入力信号を受信し、その後、出力信号は、パワーＭＯＳ回路を経て、共同で、スピーカーを駆動する。二つのＰＷＭ変調器に入力される同期化信号はなく、二つのパワーＭＯＳ回路は、フィルター前、及び／又は、フィルター後の信号を、それぞれ、二つのＰＷＭ変調器にフィードバックし、互いに影響しない。
【発明の効果】
【０００８】
本発明は、公知技術の同期化設計を省略すると共に、ＢＴＬ設計に必要な二つのプッシュプル式信号を、それぞれ、処理し、二つの信号を互いに影響させず、しかし、最後に、共同で、スピーカーを駆動する。という利点がある。
【発明を実施するための最良の形態】
【０００９】
本発明のＤクラスオーディオ増幅器の改良設計において、オーディオ信号Ｖｉｎは、左側両入力端ａ、ｂから、演算増幅器２１、２２に入力され、演算増幅器２１、２２は、オーディオ信号を、それぞれ、演算増幅器２３、２４、に出力し、その後、プレドライバ２５、及び、２６を経過して、ＣＭＯＳ回路２６、２７を推進して、出力信号ＯＵＴＣ、ＯＵＴＤを生成する。出力信号ＯＵＴＣ、ＯＵＴＤは、共同で、スピーカー２９を駆動し、これが、プッシュプル回路で、即ち、ＢＴＬ（Ｂｒｉｄｇｅ  Ｔｉｅｄ  Ｌｏａｄ）設計である。レジスタ３０、３１は、フィードバック信号用で、コンデンサ３２、３３は補償回路で、インダクタ３４、３５とコンデンサ３６、３７は、フィルター回路である。演算増幅器２１、２３、及び、演算増幅器２２、２４は、それぞれ、いわゆるＰＷＭ変調器を形成する。ＰＷＭは各種設計を有し、ここで示されるのは、そのうちの一種だけである。
【００１０】
図３の回路の最大の特徴は、演算増幅器２３、２４に入力され、同期化する５００ＫＨｚの三角波Ｖｔｒｉａｂｇｕｌａｒがないことで、これにより、出力信号ＯＵＴＣ、ＯＵＴＤのキャリア位相は、図４で示されるように、一致しない。この種の回路設計は、複雑な三角波生成器を省略し、ＩＣ設計中の回路空間を節約して、コストを減少させる。三角波の同期化設計は、ただのキャリア信号であるので、演算増幅器２３、２４にとって不用である。出力信号ＯＵＴＣ、ＯＵＴＤのキャリア信号が、フィルター回路、或いは、耳によりフィルターされるので、キャリアの同期化は、重要ではない。
【００１１】
図２において、出力信号ＯＵＴＡ、ＯＵＴＢは、それぞれ、レジスタ９、１０を経て、信号を演算増幅器１にフィードバックする時、充分に精確でなければならず、さもなければ、演算増幅器１は、二つの出力オーディオ信号の均衡を保つことが出来ない。この要求は、ＩＣレイアウトの許容範囲が狭く、製造コストを増加させる。しかし、本発明の図３の回路のＯＵＴＣ、ＯＵＴＤは、それぞれ、レジスタ３０、３１を経て、信号を演算増幅器２１、２２にフィードバックするので、互いに影響しない。よって、ＩＣレイアウトの許容範囲が大きく、製造コストを減少させる。
【００１２】
図３の回路のＯＵＴＣ、ＯＵＴＤは、それぞれ、レジスタ３０、３１を経て、信号を演算増幅器２１、２２にフィードバックし、同時に、スピーカー２９の両入力端の信号SP＋とSP−を、それぞれ、レジスタ３０、３１を経て、演算増幅器２１、２２にフィードバックする。
【００１３】
図３中のパワーＭＯＳ回路２７、２８は、一般のＭＯＳ回路でもよい。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１５】
【図１】一般のＤクラスオーディオ増幅器の出力信号を示した説明図である。
【図２】Ｄクラスオーディオ増幅器の回路を示した説明図である。
【図３】本発明のＤクラスオーディオ増幅器の回路を示した説明図である。
【図４】Ｄクラスオーディオ増幅器の出力信号を示した説明図である。
【符号の説明】
【００１６】
１、２、３、２１、２２、２３、２４    演算増幅器
４、５、２５、２６    プレドライバ
６、７、２６、２７    ＣＭＯＳ回路
８、２９    スピーカー
９、１０、３０、３１    レジスタ
１１、１２、１５、１６、３２、３３、３６、３７    コンデンサ
１３、１４、３４、３５    インダクタ
【図１】
2007049614.tif 000003
【図２】
2007049614.tif 000004
【図３】
2007049614.tif 000005
【図４】
2007049614.tif 000006